(57)【要約】【課題】より簡便に、放送波に関連する電子チケットの購入および携帯を可能とする技術を提供する。【解決手段】  放送受信装置であって、電子チケットの購入要求を送信するチケット購入処理部と、放送波を受信する放送波受信部と、可搬記憶媒体との入出力を制御する記憶媒体入出力部と、を備え、チケット購入処理部は、放送波に重畳された電子チケットの決済情報を取得して記憶媒体入出力部に格納を指示する、ことを特徴とする。【選択図】図１
2015061222.tif 000002
【特許請求の範囲】
【請求項１】
電子チケットの購入要求を送信するチケット購入処理部と、
放送波を受信する放送波受信部と、
可搬記憶媒体との入出力を制御する記憶媒体入出力部と、を備え、
前記チケット購入処理部は、
前記放送波に重畳された前記電子チケットの決済情報を取得して前記記憶媒体入出力部に格納を指示する、
ことを特徴とする放送受信装置。
【請求項２】
請求項１に記載の放送受信装置であって、さらに、
少なくとも視聴する対象局についての映像情報を前記放送波から読み出して出力する映像処理部を備え、
前記記憶媒体入出力部は、前記電子チケットの決済情報の格納を指示されると、前記電子チケットに予め関連付けられた局が、前記映像処理部が視聴する対象局と一致する場合に前記電子チケットの決済情報を前記可搬記憶媒体へ格納する、
ことを特徴とする放送受信装置。
【請求項３】
請求項２に記載の放送受信装置であって、
前記チケット購入処理部は、前記購入要求に、視聴中の局を特定する情報を付加して送信し、
前記電子チケットに予め関連付けられた局は、前記チケット購入処理部が購入要求を行う際に付加した局である、
ことを特徴とする放送受信装置。
【請求項４】
請求項１〜３のいずれか一項に記載の放送受信装置であって、
前記可搬記憶媒体は、前記放送波からコンテンツを読み出す鍵となる情報を格納する媒体である、
ことを特徴とする放送受信装置。
【請求項５】
請求項１〜４のいずれか一項に記載の放送受信装置であって、
入力部を備え、
前記記憶媒体入出力部は、前記電子チケットの決済情報の格納を指示されると、前記入力部から入力される情報を受け付けて前記電子チケットの決済情報に対応付けて格納する、
ことを特徴とする放送受信装置。
【請求項６】
電子チケットの購入および使用許可の要求を受信する決済情報管理部と、
前記電子チケットの決済を行う決済処理部と、
前記電子チケットの決済情報を放送波に重畳させて出力するよう指示する放送波出力部と、を備え、
前記決済情報管理部は、
前記電子チケットの購入要求に際して決済情報を購入者ごとの履歴情報に格納し、
前記電子チケットの使用許可の要求を受け付けると、前記電子チケットの購入者の使用に係る要求であれば、使用を許可する、
ことを特徴とする顧客管理装置。
【請求項７】
放送受信装置と、チケット読取装置と、顧客管理装置と、を備え、
前記放送受信装置は、
電子チケットの購入要求を前記顧客管理装置に送信するチケット購入処理部と、
放送波を受信する放送波受信部と、
可搬記憶媒体との入出力を制御する記憶媒体入出力部と、を備え、
前記チケット購入処理部は、
前記放送波に重畳された前記電子チケットの決済情報を取得して前記記憶媒体入出力部に格納を指示し、
前記チケット読取装置は、
前記可搬記憶媒体から前記電子チケットの決済情報を読み出すと、前記顧客管理装置に使用許可要求を送信し、
前記顧客管理装置は、
前記電子チケットの購入および使用許可の要求を受信する決済情報管理部と、
前記電子チケットの決済を行う決済処理部と、
前記電子チケットの決済情報を放送波に重畳させて出力するよう指示する放送波出力部と、を備え、
前記決済情報管理部は、
前記電子チケットの購入要求に際して決済情報を購入元ごとの履歴情報に格納し、
前記電子チケットの使用許可の要求を受け付けると、前記電子チケットの購入元からの使用に係る要求であれば、使用を許可する、
ことを特徴とする放送受信システム。
【請求項８】
コンピューターに、放送を受信する手順を実行させるプログラムであって、
前記コンピューターを、放送波を受信する放送波受信手段と、制御手段として機能させ、
前記制御手段に対して、
電子チケットの購入要求を送信するチケット購入手順と、
前記放送波に重畳された前記電子チケットの決済情報を取得する手順と、
可搬記憶媒体に前記電子チケットの決済情報を格納する記憶媒体格納手順と、
を実施することを特徴とする放送受信プログラム。
【請求項９】
コンピューターを用いた放送受信方法であって、
前記コンピューターは、
電子チケットの購入要求を送信するチケット購入処理部と、
放送波を受信する放送波受信部と、
可搬記憶媒体との入出力を制御する記憶媒体入出力部と、を備え、
前記チケット購入処理部は、
前記放送波に重畳された前記電子チケットの決済情報を取得して前記記憶媒体入出力部に格納を指示する手順を行う、
ことを特徴とする放送受信方法。
【発明の詳細な説明】
【技術分野】
【０００１】
本発明は、放送に関するものである。
【背景技術】
【０００２】
従来、送信装置と通信を行う通信部と、送信装置に対してＩＤ情報を伴ってコンテンツの購入要求を行った際に暗号化された認証情報を受信すると、ＩＤ情報と対になる鍵で復号し、得られた認証情報を送信装置に送信し、ライセンスとサーバＵＲＩを受け、ＵＲＩが指定する送信装置に接続してライセンスを引数にした鍵の取得を要求する認証処理部と、鍵取得要求に対し復号鍵で暗号化されたコンテンツ鍵を受けると、これに演算処理を行ってコンテンツ鍵を出力する処理部と、通信部が受信したコンテンツ鍵で暗号化されたコンテンツをコンテンツ鍵により復号するデスクランブラ部を持つ受信装置の技術がある。特許文献１には、このような技術について記載されている。
【先行技術文献】
【特許文献】
【０００３】
【特許文献１】特開２００８−９２１７８号公報
【発明の概要】
【発明が解決しようとする課題】
【０００４】
上記技術は、コンテンツのデスクランブルを行い視聴することはできるが、コンテンツと連動した映画等の電子チケットの取得等に際しては、何らの仕組みもないため、電話番号やウェブサイトのＵＲＬ等をメモ等に保存しておき、あらためてウェブサイトやチケットセンター等へ連絡を取って購入する必要がある。また、購入した電子チケットの受け取りについては、ダウンロード等により取得すると、当該電子チケットの情報をダウンロードした機器ごと会場へ持っていかなければ使用できない。
【０００５】
本発明の目的は、より簡便に、放送波に関連する電子チケットの購入および携帯を可能とする技術を提供することにある。
【課題を解決するための手段】
【０００６】
本願は、上記課題の少なくとも一部を解決する手段を複数含んでいるが、その例を挙げるならば、以下のとおりである。上記課題を解決すべく、本発明に係る放送受信装置は、電子チケットの購入要求を送信するチケット購入処理部と、放送波を受信する放送波受信部と、可搬記憶媒体との入出力を制御する記憶媒体入出力部と、を備え、上記チケット購入処理部は、上記放送波に重畳された上記電子チケットの決済情報を取得して上記記憶媒体入出力部に格納を指示する、ことを特徴とする。
【０００７】
また、上記の放送受信装置は、さらに、少なくとも視聴する対象局についての映像情報を上記放送波から読み出して出力する映像処理部を備え、上記記憶媒体入出力部は、上記電子チケットの決済情報の格納を指示されると、上記電子チケットに予め関連付けられた局が、上記映像処理部が視聴する対象局と一致する場合に上記電子チケットの決済情報を上記可搬記憶媒体へ格納する、ことを特徴とするものであってもよい。
【０００８】
また、上記の放送受信装置では、上記チケット購入処理部は、上記購入要求に、視聴中の局を特定する情報を付加して送信し、上記電子チケットに予め関連付けられた局は、上記チケット購入処理部が購入要求を行う際に付加した局である、ことを特徴とするものであってもよい。
【０００９】
また、上記の放送受信装置では、上記可搬記憶媒体は、上記放送波からコンテンツを読み出す鍵となる情報を格納する媒体である、ことを特徴とするものであってもよい。
【００１０】
また、上記の放送受信装置であって、入力部を備え、上記記憶媒体入出力部は、上記電子チケットの決済情報の格納を指示されると、上記入力部から入力される情報を受け付けて上記電子チケットの決済情報に対応付けて格納する、ことを特徴とするものであってもよい。
【００１１】
また、本発明に係る顧客管理装置は、電子チケットの購入および使用許可の要求を受信する決済情報管理部と、上記電子チケットの決済を行う決済処理部と、上記電子チケットの決済情報を放送波に重畳させて出力するよう指示する放送波出力部と、を備え、上記決済情報管理部は、上記電子チケットの購入要求に際して決済情報を購入元ごとの履歴情報に格納し、上記電子チケットの使用許可の要求を受け付けると、上記電子チケットの購入元からの使用に係る要求であれば、使用を許可する、ことを特徴とするものであってもよい。
【００１２】
また、本発明に係る放送受信システムは、放送受信装置と、チケット読取装置と、顧客管理装置と、を備え、上記放送受信装置は、電子チケットの購入要求を上記顧客管理装置に送信するチケット購入処理部と、放送波を受信する放送波受信部と、可搬記憶媒体との入出力を制御する記憶媒体入出力部と、を備え、上記チケット購入処理部は、上記放送波に重畳された上記電子チケットの決済情報を取得して上記記憶媒体入出力部に格納を指示し、上記チケット読取装置は、上記可搬記憶媒体から上記電子チケットの決済情報を読み出すと、上記顧客管理装置に使用許可要求を送信し、上記顧客管理装置は、上記電子チケットの購入および使用許可の要求を受信する決済情報管理部と、上記電子チケットの決済を行う決済処理部と、上記電子チケットの決済情報を放送波に重畳させて出力するよう指示する放送波出力部と、を備え、上記決済情報管理部は、上記電子チケットの購入要求に際して決済情報を購入者ごとの履歴情報に格納し、上記電子チケットの使用許可の要求を受け付けると、上記電子チケットの購入者の使用に係る要求であれば、使用を許可する、ことを特徴とする。
【００１３】
また、本発明に係る放送受信プログラムは、コンピューターに、放送を受信する手順を実行させるプログラムであって、上記コンピューターを、放送波を受信する放送波受信手段と、制御手段として機能させ、上記制御手段に対して、電子チケットの購入要求を送信するチケット購入手順と、上記放送波に重畳された上記電子チケットの決済情報を取得する手順と、可搬記憶媒体に上記電子チケットの決済情報を格納する記憶媒体格納手順と、を実施することを特徴とする。
【００１４】
また、本発明に係る放送受信方法は、コンピューターを用いた放送受信方法であって、上記コンピューターは、電子チケットの購入要求を送信するチケット購入処理部と、
放送波を受信する放送波受信部と、可搬記憶媒体との入出力を制御する記憶媒体入出力部と、を備え、上記チケット購入処理部は、上記放送波に重畳された上記電子チケットの決済情報を取得して上記記憶媒体入出力部に格納を指示する手順を行う、ことを特徴とする。
【００１５】
上記した以外の課題、構成および効果は、以下の実施形態の説明により明らかにされる。
【発明の効果】
【００１６】
本発明によると、より簡便に、放送波に関連する電子チケットの購入および携帯を可能とする技術を提供することができる。
【図面の簡単な説明】
【００１７】
【図１】本発明の実施形態に係る限定受信システムの構成例を示す図である。
【図２】契約情報記憶部に格納されるデータ構造を示す図である。
【図３】履歴情報記憶部に格納されるデータ構造を示す図である。
【図４】決済情報記憶部に格納されるデータ構造を示す図である。
【図５】ＩＣカードに格納されるデータ構造を示す図である。
【図６】顧客管理装置のハードウェア構成を示す図である。
【図７】ＥＭＭ出力装置のハードウェア構成を示す図である。
【図８】放送受信装置のハードウェア構成を示す図である。
【図９】決済処理のフローを示す図である。
【図１０】決済情報受領処理のフローを示す図である。
【図１１】決済情報受領処理において出力される選局告知画面の一例を示す図である。
【発明を実施するための形態】
【００１８】
以下に、本発明に係る第一の実施形態を適用した限定受信システム１を用いた実施形態について、図面を参照して説明する。
【００１９】
図１は、本発明の第一の実施形態における限定受信システム１の実施例を示す図である。本実施形態において想定する限定受信システム１においては、ＣＡＴＶ局をはじめとする放送事業者等により管理される顧客管理装置１００と、顧客管理装置１００とネットワーク１０を介して通信可能に接続されるＥＭＭ（Ｅｎｔｉｔｌｅｍｅｎｔ  Ｍａｎａｇｅｍｅｎｔ  Ｍｅｓｓａｇｅ）出力装置２００と、顧客管理装置１００とネットワーク１０を介して通信可能に接続される放送受信装置３００と、が含まれる。
【００２０】
一般に、有料放送に代表されるデジタル放送の視聴制御は、ＥＭＭと呼ばれる加入者毎の契約情報を放送信号に重畳し、受信機のＩＣカードスロットに挿入された可搬記憶媒体であるＩＣカードに送り届ける（書き込む）ことにより、加入者の視聴条件を制御することができる。なお、このようなデジタル放送の視聴制御方法は、「デジタル放送におけるアクセス制御方式（ＡＲＩＢ  ＳＴＤ−Ｂ２５）６．０版（社）電波産業会、平成２３年３月２８日改定」等により規定されている。
【００２１】
本発明に係る限定受信システム１においては、ＥＭＭ出力装置２００は放送波を送信する。放送受信装置３００は放送波を受信して、放送波に重畳された動画、静止画、音声情報、その他制御情報等を含むコンテンツを表示させる。放送受信装置３００は、例えばデジタルテレビ、またはデジタル放送波を受信してコンテンツの映像を出力可能なセットトップボックスであり、利用者が選択入力したチャンネルの映像、音声、データ放送を再生表示する。顧客管理装置１００は、ＥＭＭ出力装置２００に対して放送波に重畳させる情報を、ネットワーク１０を介して送信する。
【００２２】
また、放送受信装置３００を操作する利用者は、コンテンツを閲覧している際等に、関連して表示される電子チケット等の情報を購入する入力を放送受信装置３００に行う。当該入力を受け付けた放送受信装置３００は、当該電子チケットの購入処理に必要な所定の購入要求情報を構成し、ネットワーク１０を介して顧客管理装置１００へ送信する。顧客管理装置１００は、購入要求を受け付けると、決済処理を行い、電子チケット情報をＥＭＭ出力装置２００へネットワーク１０を介して送信する。ＥＭＭ出力装置２００は、顧客管理装置１００から受信した電子チケット情報としてＥＭＭ決済情報を生成し、放送波に重畳させて放送する。
【００２３】
放送波を受信した放送受信装置３００は、ＥＭＭ決済情報を取得し、デスクランブルに用いる情報が格納された所定の可搬記憶媒体（例えば、非接触で電子情報を読み書き可能なＩＣカード）にＥＭＭ決済情報を格納する。なお、ＥＭＭ決裁情報を受信した放送受信装置３００は、利用者がリモートコントローラー等の入力装置を介して入力した本人特定のための認証パスワードを受け付けると、ＥＭＭ決済情報に関連付けて当該パスワードを可搬記憶媒体に格納するようにしてもよい。ＥＭＭ決裁情報には、決済を特定する情報が含まれており、決済金額そのものは含まれず、紛失時の安全性も確保される。
【００２４】
ＥＭＭ決済情報が格納された可搬記憶媒体を携帯して利用者が電子チケットを使用可能な会場等へ移動した後、会場の入場チケット読み取り機等（図示せず）が当該可搬記憶媒体のＥＭＭ決済情報を読み取ると、入場チケット読み取り機はＥＭＭ決済情報を顧客管理装置１００へ送信する。顧客管理装置１００は、ＥＭＭ決済情報の有効性を判定した結果を入場チケット読み取り機へ送信し、入場チケット読み取り機は入場の可否を判定する。
【００２５】
すなわち、より具体的には、利用者（加入者）はテレビを視聴しながらデータ放送を表示し、視聴中のアーティストのコンサートや、番組で紹介された中の遊園地の入場チケットをその場で購入するサービスを受けることが可能となる。サービス利用に係る金銭の支払いは、利用者が契約中の有料放送の月額利用料金等に加算することで決裁されるものとする。
【００２６】
利用者は、電子チケット情報が書き込まれた可搬記憶媒体を持ち出すことにより、コンサート場や遊園地といった入場規制のかけられた場所に対する入場チケットとして利用することができるようになる。入場口に設けられたＩＣカードリーダ等に契約情報が書き込まれた可搬記憶媒体をかざすことにより、入退場の制御が可能となるほか、従来の紙による入場チケット発行も不要となる。
【００２７】
なお、本発明に係る電子チケットは上記イベント会場等の入場チケットに限られず、複数回使用するホテルの入室のための電子ロック解除キーと有料番組の視聴カードを１枚の可搬記憶媒体で実現するなど、限定受信システムを利用した決済サービスとチケットレスサービス全般に応用することが可能となる。
【００２８】
顧客管理装置１００は、パソコンやスマートフォン、ワークステーション、サーバー、ＰＤＡ（Ｐｅｒｓｏｎａｌ  Ｄａｔａ  Ａｓｓｉｓｔａｎｔ）、タブレット装置等各種の情報処理装置である。
【００２９】
ネットワーク１０は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等の通信網である。なお、携帯電話通信網等の無線通信網上のＶＰＮ（Ｖｉｒｔｕａｌ  Ｐｒｉｖａｔｅ  Ｎｅｔｗｏｒｋ）等であってもよい。また、本実施形態においては、ネットワーク１０には放送受信装置３００とＥＭＭ出力装置２００とが共に接続されているように記載しているが、顧客管理装置１００とＥＭＭ出力装置２００とが同一のＬＡＮに属し、放送受信装置３００からはファイアウォール等を介して顧客管理装置１００のみに接続可能とされているものであってもよい。
【００３０】
ＥＭＭ出力装置２００は、放送波を送信できるアンテナ装置を備えたパソコンやスマートフォン、ワークステーション、サーバー、ＰＤＡ（Ｐｅｒｓｏｎａｌ  Ｄａｔａ  Ａｓｓｉｓｔａｎｔ）、タブレット装置等各種の情報処理装置である。
【００３１】
放送受信装置３００は、ＩＣカード等の可搬記憶媒体に格納されたデスクランブル用の鍵情報を用いてデジタル放送波からコンテンツをデスクランブル可能なデジタルテレビ、セットトップボックス等の情報処理装置である。他にも例えば、放送受信装置３００は、パソコンやサーバー、スマートフォン、ワークステーション、ＰＤＡ等各種の情報処理装置であってもよい。
【００３２】
顧客管理装置１００には、制御部１１０と、記憶部１２０と、通信部１３０と、が含まれる。制御部１１０には、契約管理部１１１と、視聴履歴管理部１１２と、決済処理部１１３と、決済情報管理部１１４と、認証処理部１１５と、が含まれる。記憶部１２０には、契約情報記憶部１２１と、履歴情報記憶部１２２と、決済情報記憶部１２３と、が含まれる。
【００３３】
図２は、契約情報記憶部１２１のデータ構造の例が記載されている。契約情報記憶部１２１には、放送波をデスクランブルするための鍵情報が格納されたＩＣカードを特定するＩＣカード識別子１２１Ａと、放送受信装置３００の利用者の名前である加入者名１２１Ｂと、が対応付けられている。また、ＩＣカード識別子１２１Ａごとに、視聴の許可を契約している契約番組あるいは契約局を特定する契約番組１２１Ｃが、一つまたは複数対応付けられている。すなわち、契約情報記憶部１２１には、ＩＣカード識別子ごとに、利用者の視聴に関する契約情報が含まれる。
【００３４】
図３は、履歴情報記憶部１２２のデータ構造の例が記載されている。履歴情報記憶部１２２には、放送波をデスクランブルするための鍵情報が格納されたＩＣカードを特定するＩＣカード識別子１２２Ａと、ＩＣカード識別子１２２Ａにより特定されるＩＣカードを用いて購入したサービスやチケット等を特定する購入情報１２２Ｂと、購入情報１２２Ｂにより特定されるサービスやチケット等を購入した日時を特定する購入日時１２２Ｃと、購入情報１２２Ｂにより特定されるサービスやチケット等が有効に機能する状態であるか否かを特定する有効／無効フラグ１２２Ｄと、が含まれる。
【００３５】
図４は、決済情報記憶部１２３のデータ構造の例が記載されている。決済情報記憶部１２３には、ＩＣカード識別子１２３Ａごとに、購入情報１２３Ｂと、購入日１２３Ｃと、単価１２３Ｄと、数量１２３Ｅと、支払済１２３Ｆと、ＥＭＭ決済情報１２３Ｇと、が含まれる。
【００３６】
ＩＣカード識別子１２３Ａは、放送波をデスクランブルするための鍵情報が格納されたＩＣカードを特定する情報である。購入情報１２３Ｂは、ＩＣカード識別子１２３Ａにより特定されるＩＣカードを用いて購入したサービスやチケット等を特定する情報である。購入日１２３Ｃは、購入情報１２３Ｂにより特定されるサービスやチケット等を購入した日を特定する情報である。単価１２３Ｄは、購入情報１２３Ｂにより特定されるサービスやチケット等を購入した単価を特定する情報である。数量１２３Ｅは、購入情報１２３Ｂにより特定されるサービスやチケット等を購入した数量を特定する情報である。
【００３７】
支払済１２３Ｆの情報は、ＩＣカード識別子１２３Ａにより特定されるＩＣカードを用いて購入したサービスやチケット等に対する代価の支払いが遂行されたと推定されるか否かを示す情報である。例えば、実際に支払を行っていなくとも、次回の視聴契約に関する請求額に代価の上積みがなされるよう処理されていれば、支払いが遂行されたと推定されるものとする。ＥＭＭ決済情報１２３Ｇは、購入情報１２３Ｂにより特定されるサービスやチケット等を特定する情報が含まれるＥＭＭ決済情報である。
【００３８】
図１の説明に戻る。制御部１１０の契約管理部１１１は、利用者が放送受信装置３００によりデジタル放送波のスクランブルを解除してコンテンツを視聴する許可に関する契約を管理する。視聴履歴管理部１１２は、利用者が放送受信装置３００により放送波のスクランブルを解除してコンテンツを視聴した履歴を管理する。
【００３９】
決済処理部１１３は、放送波をデスクランブルするための鍵情報が格納されたＩＣカードを用いてサービス等の購入を行った場合の決済処理を行う。具体的には、予め登録されている利用者のクレジットカードを介して代価を請求する処理や、銀行口座への代価の振り込みに関する振込用紙を手配する処理を実施する。
【００４０】
決済情報管理部１１４は、放送受信装置３００から電子チケットやサービス等の購入要求を受け付けると、購入対象の電子チケット等の情報をＥＭＭ出力装置２００に対して送信し、ＥＭＭ決済情報の生成および放送受信装置３００へ送信するよう指示する。
【００４１】
認証処理部１１５は、ネットワーク１０を介して、図示しないＩＣカード読取装置から放送受信装置３００が備える可搬記憶媒体であるＩＣカードの情報を受け付けると、その有効性を判定した結果をＩＣカード読取装置へ返信する。
【００４２】
通信部１３０は、ネットワーク１０を介して他の装置、例えばＥＭＭ出力装置２００と、放送受信装置３００との通信を行う。なお、通信部１３０は、ネットワーク１０を介して放送受信装置３００と通信可能であるが、さらにインターネット等の公衆網を介して通信するものであってもよい。
【００４３】
ＥＭＭ出力装置２００には、制御部２１０と、通信部２３０と、放送波送信部２４０と、が含まれる。制御部２１０には、通信部２３０を介して他の装置から通信にて受信した番組等のコンテンツに関してＥＭＭ契約情報を生成するＥＭＭ契約情報生成部２１１と、通信部２３０を介して他の装置から通信にて受信した電子チケットやサービス情報等に関してＥＭＭ決済情報を生成するＥＭＭ決済情報生成部２１２と、ＥＭＭ契約情報およびＥＭＭ決済情報を重畳させた放送波を生成する放送波生成部２１３と、が含まれる。
【００４４】
通信部２３０は、ネットワーク１０を介して他の装置、例えば顧客管理装置１００との通信を行う。
【００４５】
放送波送信部２４０は、放送波生成部２１３が生成した放送波を、放送受信装置３００に放送する。なお、放送波送信部２４０は、所定の帯域の電波を用いて無線放送を行うが、これに限られない。例えば、ＣＡＴＶのケーブル等を介した有線放送であってもよい。
【００４６】
放送受信装置３００には、制御部３１０と、入力部３２１と、出力部３２２と、記憶媒体入出力部３２３と、通信部３３０と、放送波受信部３４０と、が含まれる。制御部３１０には、放送波受信部３４０を介して他の装置から放送波を受信し、放送波に重畳された映像情報等のコンテンツを取得して出力部３２２に出力させる映像処理部３１１と、購入処理部３１２と、が含まれる。
【００４７】
購入処理部３１２は、放送波受信部３４０を介して他の装置から受信した放送波に重畳された映像情報等のコンテンツに関連付けられたサービスや電子チケットの購入指示を入力部３２１を介して受け付けると、記憶媒体入出力部３２３を介して読み取った可搬記憶媒体（ＩＣカード）を特定するＩＣカード識別子と、購入対象と、購入数と、を含む購入要求を顧客管理装置１００に送信する。また、ＥＭＭ出力装置２００から放送された放送波に重畳されたＥＭＭ決済情報を取得し、記憶媒体入出力部３２３を介して可搬記憶媒体にＥＭＭ決済情報を格納する。
【００４８】
入力部３２１は、リモコンや放送受信装置３００に設けられた操作スイッチを介して、選択操作や指示、選局指示等の入力を受け付ける。出力部３２２は、画面表示や音声出力等により映像や音声の出力を行う。
【００４９】
記憶媒体入出力部３２３は、可搬記憶媒体に対する情報の入出力を制御する。例えば、スクランブル処理されたデジタル放送波をデスクランブルするための鍵情報を格納する接触式ＩＣカードに対して、情報の読み書きを行う。なお、記憶媒体入出力部３２３は、接触式であるか、非接触式であるかを問わず、可搬記憶媒体への入出力を行うものであればよい。
【００５０】
通信部３３０は、ネットワーク１０を介して他の装置、例えば顧客管理装置１００との通信を行う。
【００５１】
放送波受信部３４０は、ＥＭＭ出力装置２００から送信された放送波および重畳されるＥＭＭ契約情報とＥＭＭ決済情報とを受信し、映像処理部３１１に受け渡す。
【００５２】
図５には、放送受信装置３００により読み書きされる可搬記憶媒体としてのＩＣカード４００に格納されるデータ構造の例が記載されている。ＩＣカード４００には、ＩＣカード識別子４００Ａと加入者名４００Ｂとが対応付けられており、ＩＣカード識別子４００Ａごとに、視聴チャンネル４００Ｃと、ＥＭＭ決済情報４００Ｄと、パスワード４００Ｅと、が対応付けられている。
【００５３】
視聴チャンネル４００Ｃは、ＥＭＭ決済情報４００Ｄに格納されるＥＭＭ決済情報に対応付けられた視聴チャンネルを特定する情報である。例えば、ある局の番組を視聴中に当該局において購入した電子チケット等の情報について、購入要求時に視聴していたチャンネルを特定する情報が視聴チャンネル４００Ｃに格納される。
【００５４】
パスワード４００Ｅは、ＥＭＭ決済情報４００Ｄに格納されるＥＭＭ決済情報を用いる場合に、正当なチケットの受領者であることを確かめるための情報である。当該パスワードは、ＥＭＭ出力装置２００から送信された放送波に重畳されたＥＭＭ決済情報を受信する処理において、放送受信装置３００の利用者から入力されたパスワードである。
【００５５】
図６は、顧客管理装置１００のハードウェア構成例を示す図である。顧客管理装置１００は、入力装置１０１と、演算装置１０２と、外部記憶装置１０３と、主記憶装置１０４と、出力装置１０５と、通信装置１０６と、各装置をつなぐバス１０７と、を少なくとも備える。
【００５６】
入力装置１０１は、キーボードやマウス、タッチパネル等の各種入力装置である。
【００５７】
演算装置１０２は、例えばＣＰＵ（Ｃｅｎｔｒａｌ  Ｐｒｏｃｅｓｓｉｎｇ  Ｕｎｉｔ）などの演算装置である。
【００５８】
外部記憶装置１０３は、デジタル情報を記憶可能な、いわゆるハードディスク（Ｈａｒｄ  Ｄｉｓｋ  Ｄｒｉｖｅ）やＳＳＤ（Ｓｏｌｉｄ  Ｓｔａｔｅ  Ｄｒｉｖｅ）あるいはフラッシュメモリなどの不揮発性記憶装置である。
【００５９】
主記憶装置１０４は、例えばＲＡＭ（Ｒａｎｄｏｍ  Ａｃｃｅｓｓ  Ｍｅｍｏｒｙ）などのメモリ装置である。
【００６０】
出力装置１０５は、例えば液晶ディスプレイや、有機ＥＬ（Ｅｌｅｃｔｒｏ  Ｌｕｍｉｎｅｓｃｅｎｃｅ）ディスプレイ等の表示装置である。
【００６１】
通信装置１０６は、ネットワーク１０等を介してＥＭＭ出力装置２００、放送受信装置３００等の他の装置と通信経路を確立し、情報を送受信するネットワークカード等の装置である。
【００６２】
入力装置１０１と、演算装置１０２と、外部記憶装置１０３と、主記憶装置１０４と、出力装置１０５と、通信装置１０６とは、バス１０７等の接続導線により互いに接続される。
【００６３】
上記した顧客管理装置１００の契約管理部１１１、視聴履歴管理部１１２、決済処理部１１３、決済情報管理部１１４、認証処理部１１５は、演算装置１０２に処理を行わせるプログラムによって実現される。このプログラムは、主記憶装置１０４、外部記憶装置１０３または図示しないＲＯＭ装置内に記憶され、実行にあたって主記憶装置１０４上にロードされ、演算装置１０２により実行される。
【００６４】
また、顧客管理装置１００の記憶部１２０は、主記憶装置１０４及び外部記憶装置１０３により実現される。また、顧客管理装置１００の通信部１３０は、通信装置１０６により実現される。以上が、顧客管理装置１００のハードウェア構成例である。
【００６５】
図７は、ＥＭＭ出力装置２００のハードウェア構成例を示す図である。ＥＭＭ出力装置２００は、演算装置２０２と、外部記憶装置２０３と、主記憶装置２０４と、通信装置２０５と、放送波出力装置２０６と、各装置をつなぐバス２０７と、を少なくとも備える。
【００６６】
演算装置２０２は、例えばＣＰＵ（Ｃｅｎｔｒａｌ  Ｐｒｏｃｅｓｓｉｎｇ  Ｕｎｉｔ）などの演算装置である。
【００６７】
外部記憶装置２０３は、デジタル情報を記憶可能な、いわゆるハードディスク（Ｈａｒｄ  Ｄｉｓｋ  Ｄｒｉｖｅ）やＳＳＤ（Ｓｏｌｉｄ  Ｓｔａｔｅ  Ｄｒｉｖｅ）あるいはフラッシュメモリなどの不揮発性記憶装置である。
【００６８】
主記憶装置２０４は、例えばＲＡＭ（Ｒａｎｄｏｍ  Ａｃｃｅｓｓ  Ｍｅｍｏｒｙ）などのメモリ装置である。
【００６９】
通信装置２０５は、ネットワーク１０等を介して顧客管理装置１００等の他の装置と通信経路を確立し、情報を送受信するネットワークカード等の装置である。
【００７０】
放送波出力装置２０６は、アンテナ装置等の放送波出力装置である。
【００７１】
演算装置２０２と、外部記憶装置２０３と、主記憶装置２０４と、通信装置２０５と、放送波出力装置２０６とは、バス２０７等の接続導線により互いに接続される。
【００７２】
上記したＥＭＭ出力装置２００のＥＭＭ契約情報生成部２１１、ＥＭＭ決済情報生成部２１２、放送波生成部２１３は、演算装置２０２に処理を行わせるプログラムによって実現される。このプログラムは、主記憶装置２０４、外部記憶装置２０３または図示しないＲＯＭ装置内に記憶され、実行にあたって主記憶装置２０４上にロードされ、演算装置２０２により実行される。
【００７３】
また、ＥＭＭ出力装置２００の通信部２３０は、通信装置２０５により実現される。また、放送波送信部２４０は、放送波出力装置２０６により実現される。以上が、ＥＭＭ出力装置２００のハードウェア構成例である。
【００７４】
図８は、放送受信装置３００のハードウェア構成例を示す図である。放送受信装置３００は、入力装置３０１と、演算装置３０２と、記憶媒体入出力装置３０３と、主記憶装置３０４と、通信装置３０５と、放送波受信装置３０６と、出力装置３０７と、各装置をつなぐバス３０８と、を少なくとも備える。
【００７５】
入力装置３０１は、視聴する局の指定を受け付ける選局リモコン、キーボードやマウス、タッチパネル等の各種入力装置である。
【００７６】
演算装置３０２は、例えばＣＰＵ（Ｃｅｎｔｒａｌ  Ｐｒｏｃｅｓｓｉｎｇ  Ｕｎｉｔ）などの演算装置である。
【００７７】
記憶媒体入出力装置３０３は、デジタル情報を記憶可能な、いわゆるハードディスク（Ｈａｒｄ  Ｄｉｓｋ  Ｄｒｉｖｅ）やＳＳＤ（Ｓｏｌｉｄ  Ｓｔａｔｅ  Ｄｒｉｖｅ）あるいはフラッシュメモリなどの不揮発性記憶装置である。
【００７８】
主記憶装置３０４は、例えばＲＡＭ（Ｒａｎｄｏｍ  Ａｃｃｅｓｓ  Ｍｅｍｏｒｙ）などのメモリ装置である。
【００７９】
通信装置３０５は、ネットワーク１０等を介して顧客管理装置１００等の他の装置と通信経路を確立し、情報を送受信するネットワークカード等の装置である。
【００８０】
放送波受信装置３０６は、ＥＭＭ出力装置２００から送信された放送波を受信する。
【００８１】
出力装置３０７は、例えば液晶ディスプレイや、有機ＥＬ（Ｅｌｅｃｔｒｏ  Ｌｕｍｉｎｅｓｃｅｎｃｅ）ディスプレイ等の表示装置である。
【００８２】
入力装置３０１と、演算装置３０２と、記憶媒体入出力装置３０３と、主記憶装置３０４と、通信装置３０５と、放送波受信装置３０６と、出力装置３０７とは、バス３０８等の接続導線により互いに接続される。
【００８３】
上記した放送受信装置３００の映像処理部３１１、購入処理部３１２は、演算装置３０２に処理を行わせるプログラムによって実現される。このプログラムは、主記憶装置３０４または図示しないＲＯＭ装置内に記憶され、実行にあたって主記憶装置３０４上にロードされ、演算装置３０２により実行される。
【００８４】
また、放送受信装置３００の入力部３２１は入力装置３０１により、出力部３２２は出力装置３０７により、記憶媒体入出力部３２３は記憶媒体入出力装置３０３により、通信部３３０は通信装置３０５により、放送波受信部３４０は放送波受信装置３０６により、それぞれ実現される。以上が、放送受信装置３００のハードウェア構成例である。
【００８５】
なお、上記した各構成要素は、顧客管理装置１００、ＥＭＭ出力装置２００、放送受信装置３００の構成を、理解を容易にするために、主な処理内容に応じて分類したものである。そのため、構成要素の分類の仕方やその名称によって、本願発明が制限されることはない。
【００８６】
また、各制御部は、ハードウェア（ＡＳＩＣ、ＧＰＵなど）により構築されてもよい。また、各制御部の処理が一つのハードウェアで実行されてもよいし、複数のハードウェアで実行されてもよい。
【００８７】
[動作の説明]次に、本実施形態における限定受信システム１の顧客管理装置１００と、ＥＭＭ出力装置２００と、放送受信装置３００と、の動作を説明する。図９は、本実施形態における決済処理のフロー図である。
【００８８】
決済処理は、放送受信装置３００と、顧客管理装置１００の起動後において、放送受信装置３００の入力部３２１が所定の操作を受け付けると、開始される。
【００８９】
まず、購入処理部３１２は、視聴チャンネル、購入チケット、購入量、ＩＣカード識別子を購入要求として出力する（ステップＳ００１）。具体的には、購入処理部３１２は、視聴しているコンテンツに関連して購入可能なサービスやチケットのうち、入力部３２１によって選択入力を受け付けたサービスやチケットと、その購入量の入力を受け付け、視聴しているコンテンツが属するチャンネルの情報を映像処理部３１１から取得する。そして、購入処理部３１２は、視聴のためのデスクランブルに用いている鍵が格納された可搬記憶媒体からＩＣカード識別子を取得する。そして、購入処理部３１２は、取得した情報を用いて、視聴チャンネル、購入チケット、購入量、ＩＣカード識別子を含む購入要求として情報を構成し、所定の顧客管理装置１００へ出力する。
【００９０】
次に、決済情報管理部１１４は、購入要求を決済情報記憶部１２３に格納する（ステップＳ００２）。具体的には、決済情報管理部１１４は、ステップＳ００１で出力された購入要求から、ＩＣカード識別子、購入チケット、購入量、視聴チャンネルの情報を読出し、ＩＣカード識別子をＩＣカード識別子１２３Ａへ格納し、購入チケットを購入情報１２３Ｂへ格納し、処理時点が属する日を特定する情報を購入日１２３Ｃへ格納し、単価を購入チケットから読み出して単価１２３Ｄへ格納し、購入量を数量１２３Ｅへ格納する。なお、同様に、決済情報管理部１１４は、履歴情報記憶部１２２のＩＣカード識別子１２２Ａ、購入情報１２２Ｂに、それぞれＩＣカード識別子、購入チケットの情報を格納する。また、決済情報管理部１１４は、処理時点が属する日時を特定する情報を購入日時１２２Ｃに格納する。
【００９１】
次に、ＥＭＭ出力装置２００のＥＭＭ決済情報生成部２１２は、ＥＭＭ決済情報を作成する（ステップＳ００３）。具体的には、決済情報管理部１１４は、ＩＣカード識別子、購入チケットおよび視聴チャンネルの情報を含むＥＭＭ決済情報を作成するようＥＭＭ出力装置２００のＥＭＭ決済情報生成部２１２に依頼する。ＥＭＭ決済情報生成部２１２は通信部２３０を介して受信したＩＣカード識別子と、購入チケットと、視聴チャンネルの情報を用いてＥＭＭ決済情報を生成する。
【００９２】
次に、放送波送信部２４０は、ＥＭＭ決済情報を放送波に重畳させて、放送受信装置３００へ所定回数出力する（ステップＳ００４）。具体的には、放送波生成部２１３が放送波にＥＭＭ決済情報を重畳させて、放送波送信部２４０へ出力する。放送波送信部２４０は、出力されたＥＭＭ決済情報が重畳された放送波を受け取ると、放送受信装置３００へ送信する。
【００９３】
以上が、決済処理の処理フローである。決済処理を実行することで、放送波に関連する電子チケットの購入を容易に行うことができる。
【００９４】
図１０は、決済情報受領処理のフロー図である。
【００９５】
決済情報受領処理は、放送受信装置３００が起動され、ＥＭＭ出力装置２００から送信された放送波が受領されると、開始する。
【００９６】
まず、放送波受信部３４０は、ＥＭＭ決済情報を受信する（ステップＳ１０１）。具体的には、放送波受信部３４０は、放送波送信部２４０から送信された放送波を受信し、重畳されたＥＭＭ決済情報を購入処理部３１２に受け渡す。
【００９７】
そして、購入処理部３１２は、ＥＭＭ決済情報に関連するチャンネル情報が視聴中チャンネルと一致するか否かを判定する（ステップＳ１０２）。具体的には、購入処理部３１２は、ＥＭＭ決済情報に含まれるチャンネル情報を参照して、映像処理部３１１がデスクランブルしている視聴局との一致を判定する。
【００９８】
視聴中チャンネルと一致しない場合（ステップＳ１０２にて「Ｎｏ」の場合）には、購入処理部３１２は、選局を告知する（ステップＳ１０３）。具体的には、購入処理部３１２は、ステップＳ１０２にて参照したＥＭＭ決済情報に含まれるチャンネル情報により特定される局を視聴局として選局するようメッセージ情報を構成し、出力部３２２に表示するよう指示する。そして、購入処理部３１２は、決済情報受領処理を終了させる。
【００９９】
視聴中チャンネルと一致する場合（ステップＳ１０２にて「Ｙｅｓ」の場合）には、購入処理部３１２は、ＥＭＭ決済情報からＩＣカード識別子を取得し、ＩＣカードの識別子と一致するか否かを判定する（ステップＳ１０４）。具体的には、購入処理部３１２は、ＥＭＭ決済情報からＩＣカード識別子を取得し、デスクランブルに用いている鍵が格納された可搬記憶媒体であるＩＣカード４００のＩＣカード識別子４００Ａと一致するか否かを判定する。一致しない場合、購入処理部３１２は、無関係のＩＣカードのＥＭＭ情報であるとして、決済情報受領処理を終了させる。
【０１００】
ＩＣカードの識別子と一致する場合（ステップＳ１０４にて「Ｙｅｓ」の場合）には、購入処理部３１２は、ＩＣカードにＥＭＭ決済情報を格納するよう記憶媒体入出力部３２３へ指示する（ステップＳ１０５）。
【０１０１】
記憶媒体入出力部３２３は、当該ＥＭＭ決済情報が可搬記憶媒体に未格納であるか否かを判定する（ステップＳ１０６）。具体的には、記憶媒体入出力部３２３は、可搬記憶媒体であるＩＣカード４００に格納された情報の中から、視聴チャンネル４００ＣがステップＳ１０２にて参照したＥＭＭ決済情報に含まれるチャンネル情報により特定される局と同じ局であって、ＥＭＭ決済情報４００Ｄが一致する情報が存在するか否かを判定する。存在する場合には、記憶媒体入出力部３２３は、当該ＥＭＭ決済情報が可搬記憶媒体に未格納ではないと判定し、決済情報受領処理を終了させる。
【０１０２】
ＥＭＭ決済情報が可搬記憶媒体に未格納であると判定した場合（ステップＳ１０６において「Ｙｅｓ」の場合）には、記憶媒体入出力部３２３は、ＩＣカードにＥＭＭ決済情報を格納させる（ステップＳ１０７）。具体的には、記憶媒体入出力部３２３は、ＩＣカード４００に対して、視聴チャンネル４００ＣにステップＳ１０２にて参照したＥＭＭ決済情報に含まれるチャンネル情報により特定される局を、またＥＭＭ決済情報４００ＤにＥＭＭ決済情報を、それぞれ格納する。
【０１０３】
そして、購入処理部３１２は、パスワードを受け付けて、ＥＭＭ決済情報と対応付けてＩＣカードに格納を指示する（ステップＳ１０８）。具体的には、購入処理部３１２は、入力部３２１を介して、利用者からパスワードとなる情報（例えば、４ケタの数字）の入力を受け付けて、記憶媒体入出力部３２３に格納を指示する。
【０１０４】
そして、記憶媒体入出力部３２３は、ＩＣカード４００にてパスワードを格納する（ステップＳ１０９）。具体手には、記憶媒体入出力部３２３は、ステップＳ１０８にて指示されたパスワードを、ステップＳ１０７にて格納したＥＭＭ決済情報と対応づけて、パスワード４００Ｅに格納する。
【０１０５】
以上が、決済情報受領処理の処理フローである。決済情報受領処理によれば、決済処理により購入した電子チケットを受け取り、デスクランブル用の鍵情報が格納される可搬記憶媒体であるＩＣカード４００に格納することができる。これにより、ＩＣカード４００を持ち出してコンサート会場等電子チケットを使用する施設へ携帯し、読み取り装置に当該電子チケットの情報であるＥＭＭ決済情報を読み取らせることで、利用者は紙製のチケットを発券せずに円滑かつ簡便にサービスを利用することができる。
【０１０６】
図１１は、決済情報受領処理のステップＳ１０３において表示される選局告知画面の一例を示す図である。選局告知画面６００には、メッセージ表示領域６１０が含まれる。メッセージ表示領域６１０は、放送波に重畳されたＥＭＭ決済情報により特定される購入対象を受け取るために、視聴するチャンネルを示して選局を促す表示がなされる。
【０１０７】
また、当該チャンネルへ選局を切り替える指示を受け付ける選局ボタンを含む。具体的には、メッセージとしては、「Ｘ年Ｘ月Ｘ日に購入したチケットが届いています。受け取りのために、視聴チャンネルをＹＹに選局してください。」等があげられる。
【０１０８】
また併せて、メッセージ表示領域６１０には、「受け取り期間を過ぎると、チケット購入はキャンセルされますのでご注意ください」等の選局しなかった場合にチケット購入が無駄になることを示すメッセージが出力されるものであってもよい。
【０１０９】
また、メッセージ表示領域６１０には、すぐには選局せず、メッセージ表示領域６１０の表示を終了させる指示を受け付ける「あとで対応」ボタン６２０と、すぐに選局して、メッセージ表示領域６１０の表示を終了させる指示を受け付ける「選局」ボタン６３０と、が表示される。
【０１１０】
「選局」ボタン６３０への入力を入力部３２１が受け付けると、購入処理部３１２は、映像処理部３１１へＥＭＭ決済情報に対応付けられた局を選局して視聴を開始するよう指示し、選局告知画面６００の表示を終了させる。また、「あとで対応」ボタン６２０への入力を入力部３２１が受け付けると、購入処理部３１２は、選局告知画面６００の表示を終了させる。
【０１１１】
以上、本発明に係る第一の実施形態を適用した限定受信システム１について説明した。当該実施形態によると、利用者は、より簡便に、放送波に関連する電子チケットの購入および携帯が可能となる。
【０１１２】
本発明は、上記の第一の実施形態に制限されない。上記の第一の実施形態は、本発明の技術的思想の範囲内で様々な変形が可能である。例えば、上記の第一の実施形態においては、ＥＭＭ出力装置２００と顧客管理装置１００とは、互いに異なる装置を想定しているが、これに限られず、同じ装置で実現されていてもよい。
【０１１３】
また例えば、上述のようにホテル等の滞在施設において滞在する部屋の鍵等をＥＭＭ決済情報により実装することで、宿泊予約を行うとＥＭＭ決済情報をＩＣカードに受け取り、当該ＩＣカードを施設へ持参して同じＩＣカードで部屋の開錠、施錠を実現するものであってもよい。
【０１１４】
また例えば、ＥＭＭ決済情報が他の媒体等にコピーされて不正利用されるのを防ぐため、ＩＣカード４００に格納されるＥＭＭ決済情報には顧客管理装置１００においてコンテンツと同じように予めスクランブルをかけておき、当該ＩＣカード４００のデスクランブル用の鍵情報を用いなければＥＭＭ決済情報を使用できないようにしてもよい。
【０１１５】
また例えば、電子チケット等を複数人分購入した場合には、使用施設において複数人でＩＣカード４００を受け渡す必要がある場合もあるため、発券場にて複数枚の電子チケット情報が格納されたＩＣカード４００を読み込むと複数枚のチケットを発行するようにしてもよい。
【０１１６】
また、放送受信装置３００は、さらに、所定の期間のみ使用できるデスクランブル用のダミー鍵情報を生成し保持するダミー鍵生成部を備えるものであってもよい。このようにすることで、ＩＣカード４００のチケットを使用するためにＩＣカード４００を持ち出した場合に、放送受信装置３００が放送を受信できなくなる事態を回避することができる。
【０１１７】
また、上記した実施形態の技術的要素は、単独で適用されてもよいし、プログラム部品とハードウェア部品のような複数の部分に分けられて適用されるようにしてもよい。
【０１１８】
以上、本発明について、実施形態を中心に説明した。
【符号の説明】
【０１１９】
１・・・限定受信システム、１０・・・ネットワーク、１００・・・顧客管理装置、１１０・・・制御部、１１１・・・契約管理部、１１２・・・視聴履歴管理部、１１３・・・決済処理部、１１４・・・決済情報管理部、１１５・・・認証処理部、１２０・・・記憶部、１２１・・・契約情報記憶部、１２２・・・履歴情報記憶部、１２３・・・決済情報記憶部、１３０・・・通信部、２００・・・ＥＭＭ出力装置、２１０・・・制御部、２１１・・・ＥＭＭ契約情報生成部、２１２・・・ＥＭＭ決済情報生成部、２１３・・・放送波生成部、２３０・・・通信部、２４０・・・放送波送信部、３００・・・放送受信装置、３１０・・・制御部、３１１・・・映像処理部、３１２・・・購入処理部、３２１・・・入力部、３２２・・・出力部、３２３・・・記憶媒体入出力部、３３０・・・通信部、３４０・・・放送波受信部
【図１】
2015061222.tif 000003
【図２】
2015061222.tif 000004
【図３】
2015061222.tif 000005
【図４】
2015061222.tif 000006
【図５】
2015061222.tif 000007
【図６】
2015061222.tif 000008
【図７】
2015061222.tif 000009
【図８】
2015061222.tif 000010
【図９】
2015061222.tif 000011
【図１０】
2015061222.tif 000012
【図１１】
2015061222.tif 000013